(57)【要約】【課題】  光ディスク上に傷や欠陥等が存在する場合であっても、安定したレーザパワー設定を可能とするレーザパワー設定方法を提供する。【解決方法】  所定のデータ記録領域にデータを記録する際のレーザパワーの設定を、データを記録しようとする記録領域よりも先に位置する複数のセクタで行う場合に、レーザパワー設定を行う最大回数（Ｎ回数）と、データ記録の開始に必要なレーザパワー設定回数（Ｍ回数、Ｎ≧Ｍ）とを予め設定し、レーザパワー設定がＮ−Ｍ＋１回数失敗するまでは、セクタ毎のレーザパワー設定を中止することなく継続して行う。【選択図】  図３
2006127677.tif 000002
【特許請求の範囲】
【請求項１】
光記録媒体の記録領域にデータを記録するためのレーザパワー設定を、前記記録領域よりも先にレーザ光が通過する複数の情報記録単位からなるレーザパワー調整区間において行うレーザパワー設定方法において、
前記レーザパワー調整区間において行うレーザパワー設定の最大実行回数（Ｎ回数）と、前記記録領域へのデータの記録に必要となるレーザパワー設定回数（Ｍ回数、Ｎ≧Ｍ）とを設定する第１のステップと、
前記レーザパワー調整区間のそれぞれの情報記録単位毎に、レーザパワー設定を行うための所定の条件を満たすか否かを判定し、前記所定の条件を満たす情報記録単位においてレーザパワー設定を実行する第２のステップと、を備え、
レーザパワー設定の実行回数がＭ回数に達するまで、前記レーザパワー調整区間においてレーザパワー設定を行う、
ことを特徴とするレーザパワー設定方法。
【請求項２】
光記録媒体の記録領域にデータを記録するためのレーザパワー設定を、前記記録領域よりも先にレーザ光が通過する複数の情報記録単位からなるレーザパワー調整区間において行うレーザパワー設定方法において、
前記レーザパワー調整区間において行うレーザパワー設定の実行回数（Ｎ回数）を設定する第１のステップと、
前記レーザパワー調整区間のそれぞれの情報記録単位毎に、レーザパワー設定を行うための第１の条件を満たすか否かを判定し、前記第１の条件を満たさない場合は、該情報記録単位が、前記第１の条件とは異なる第２の条件を満たすか否かを判定する第２のステップと、
前記第１の条件、あるいは前記第２の条件を満たす情報記録単位においてレーザパワー設定を実行する第３のステップと、を備え、
レーザパワー設定の実行回数がＮ回数に達するまで、前記複数の情報記録単位毎にレーザパワー設定を行う、
ことを特徴とするレーザパワー設定方法。
【請求項３】
請求項２に記載のレーザパワー設定方法において、
前記第２の条件は、前記第１の条件よりも低い条件である、
ことを特徴とするレーザパワー設定方法。
【請求項４】
光記録媒体の記録領域にデータを記録するためのレーザパワー設定を、前記記録領域よりも先にレーザ光が通過する複数の情報記録単位からなるレーザパワー調整区間において行うレーザパワー設定方法において、
前記レーザパワー調整区間において行うレーザパワー設定の最大実行回数（Ｎ回数）と、前記記録領域へのデータの記録に必要となるレーザパワー設定回数（Ｍ回数、Ｎ≧Ｍ）とを設定する第１のステップと、
前記レーザパワー調整区間のそれぞれの情報記録単位毎に、レーザパワー設定を行うための第１の条件を満たすか否かを判定し、前記第１の条件を満たす情報記録単位においてレーザパワー設定を実行する第２のステップと、を備え、
前記レーザパワー調整区間におけるレーザパワー設定失敗回数がＮ−Ｍ回に達した場合は、前記情報記録単位において行うレーザパワー設定の実行条件を、前記第１の条件とは異なる第２の条件に変更し、該第２の条件のもとで、レーザパワー設定の実行回数がＭ回数に達するまでレーザパワー設定を行う、
ことを特徴とするレーザパワー設定方法。
【発明の詳細な説明】
【技術分野】
【０００１】
本発明は、光記録媒体に対してレーザ光を照射してデータの記録／再生を行う光ディスク装置に関し、特に、レーザ光のレーザパワー設定方法に関する。
【背景技術】
【０００２】
半導体レーザなどのレーザ光により、記録媒体に情報を記録、再生する光学的記録再生装置では、記録媒体に照射するレーザパワーを、記録動作や再生動作に応じた最適値に設定する必要がある。一般に半導体レーザは、温度変化や経年劣化により、駆動電流Ｉと出射光パワーＬとの関係を示すＩ−Ｌ特性が大きく変動するため、様々な変動要因に対しても、出射パワーを所定の値に設定する半導体レーザの制御手段が必要となる。このため、光学的記録再生装置には、半導体レーザの駆動電流を制御することにより記録媒体上のレーザパワーを所定の値に保つ半導体レーザパワー制御回路が搭載されている。以下、従来のレーザパワー制御回路について説明する。
【０００３】
図８は、従来の半導体レーザパワー制御回路の構成を表すブロック図である。なお、以下、オーバーライト型のＤＶＤにおける半導体レーザパワー制御回路を例として説明する。オーバーライト型のＤＶＤは、データ記録時に、書き込まれたデータを消去しながら新しいデータを記録するものであり、そのレーザパワーは、図９に示すように、再生パワーレベルと、記録パワーレベル（ピークパワー）と、消去パワーレベル（ボトムパワー）の３レベルをとる。
【０００４】
図８において、レーザパワー制御回路８００は、半導体レーザ８０と、ピンフォトダイオードと電流電圧変換回路等で構成される光検出器８２と、半導体レーザ８０の出射光パワーの設定を行なう演算処理器８３と、ピークパワー、及びボトムパワーの設定値を保持するサンプルホールド器８４と、半導体レーザのレーザパワーを制御する駆動回路８５と、レーザパワーの設定、及びデータの記録を制御するドライブコントローラ９０とを有する。また、８８はボトムパワーの設定開始を指示するボトムパワー設定信号、８９はピークパワーの設定を指示するピークパワー設定信号、８６は記録再生動作の状態を表す切替信号、８７はデータ記録タイミングを示す記録信号をそれぞれ表す。
【０００５】
図１０は、レーザパワー制御回路８００の動作タイミングを説明するための図であり、図１０（ａ）は、光記録媒体の構造を模式的に表す図である。一般に光記録媒体に対する記録再生動作は、記録媒体上のセクタと呼ばれる情報記録単位で行われ、１つのセクタは、記録媒体上の位置を示すＰＩＤ部、レーザパワーの設定に使われるギャップ区間、情報を記録する記録領域、の３つの部分から構成される。また、図１０（ｂ）〜（ｅ）は、ボトムパワー設定信号８８、ピークパワー設定信号８９、記録再生切り替え信号８６、及び記録信号８７の出力タイミングを表し、図１０（ｆ）はパワー制御状態を表す。
【０００６】
次に、動作について説明する。
半導体レーザ８０から出射されたレーザ光の一部は、光検出器８２で検出されて電気信号に変換された後、演算処理器８３に入力される。レーザ光が、記録しようとする記録領域の直前のギャップ区間に入ると、ボトムパワー設定信号８８がＬからＨに切り替わり、演算処理器８３はボトムパワーの設定を開始する。次に、ピークパワー設定信号８９がＬからＨに切り替わると、演算処理器８３は、設定し終えたボトムパワーの設定値をサンプルホールド器８４にホールドし、ピークパワーの設定を開始する。そして、レーザ光がギャップ区間を通過し、記録領域に入ると、記録再生切り替え信号８６がＬからＨに切り替わり、サンプルホールド器８４は設定し終えたピークパワーの設定値をホールドする。また、駆動回路８５は、ドライブコントローラ９０から出力される記録信号８７に従って、ボトムパワーとピークパワーの間で変調を行い、レーザパワー制御を行ないながらデータの記録を行なう（特許文献１参照）。
【０００７】
上述した従来のレーザパワー制御回路８００におけるレーザパワー設定は、通常、データを記録しようとする記録領域よりも先に位置する複数のセクタ、すなわち、前記記録領域よりも先にレーザ出射光が通過する複数のセクタのギャップ区間で行なわれ、その平均値や、最大値、あるいは最小値を用いてレーザパワー設定値が算出される。また、上記複数回のレーザパワー設定のうち、記録媒体上の傷や欠陥等により、一度でもレーザパワー設定が行うことができなければ、実際のデータ記録は行わず、記録処理を中断することとしている。
【０００８】
図１１（ａ）は、従来のレーザパワー制御回路におけるレーザパワー設定区間と、実際のデータ記録を行う区間との位置関係を示す図であり、Ｐは、ＰＩＤを、Ｇはギャップ区間を、Ｄは記録領域をそれぞれ表す。また、図１１（ｂ）、（ｃ）はレーザパワー設定の実施タイミングと実際のデータ記録のタイミングをそれぞれ表す図である。
【０００９】
図１１は、レーザパワー設定が、データ記録を行うデータ記録開始位置よりも先に位置するギャップ区間で１０回行なうよう設定されている場合を示しており、１０回のレーザパワー設定が全て行われた場合に、データ記録を開始する。以下、かかるレーザパワー設定方法について、図１２に示すフローチャートを用いて説明する。
【００１０】
まず、ドライブコントローラ９０は、複数のセクタからなるレーザパワー調整区間でレーザパワー設定を行うための各種設定、例えばレーザパワー設定を行う回数の設定を行う（ステップ１２０１、以下「Ｓ１２０１」とする）。
【００１１】
次に、ドライブコントローラ９０は、最初のセクタのギャップ区間においてレーザパワー設定が行えるかどうかの判定を行う（Ｓ１２０２）。レーザパワー設定の可否判断は、各セクタのＰＩＤが取得出来たか否かで行う。ＰＩＤが取得出来れば、ドライブコントローラ９０は、そのセクタのギャップ区間でレーザパワー設定が行えると判断し、演算処理器８３、サンプルホールド器８４、及び駆動回路８５を制御することによりレーザパワー設定を行う（Ｓ１２０３）。そして、実際に行なったレーザパワー設定回数が、先に設定したレーザパワー設定回数行なわれたか否かを判定し（Ｓ１２０４）、レーザパワー設定が所定回数行われていれば、実際のデータ記録を開始する（Ｓ１２０５）。レーザパワー設定が所定回数行われていなければ、Ｓ１２０２に戻り、以降のセクタについて、Ｓ１２０２ないしＳ１２０４を繰り返し行なう。
【００１２】
一方、Ｓ１２０２にて、ドライブコントローラ９０がレーザパワー設定が行えないと判定した場合は、記録処理を中断する（Ｓ１２０６）。従来のレーザパワー制御回路は、以上の処理により、精度の高いレーザパワーの設定を可能としている（特許文献２参照）。
【特許文献１】特開平１−１０７３３５号公報
【特許文献２】特開平６−２３６５７６号公報
【発明の開示】
【発明が解決しようとする課題】
【００１３】
しかしながら、上記従来のレーザパワー設定方法では、レーザパワー調整区間における複数回のレーザパワー設定のうち、１回でも光記録媒体上の傷や欠陥等により記録媒体上の位置情報を示すＰＩＤが取得できなかった場合は、その領域周辺ではレーザパワー設定が行えないと判断されるため、データを記録しようとする記録領域に傷や欠陥がなくとも、実際のデータ記録が行なわれないという課題を有していた。
【００１４】
本発明は、上記課題を解決するためになされたものであり、光ディスク上に傷や欠陥等が存在する場合であっても、記録領域へのデータ記録を中断することなく、安定したデータ記録を行うことを可能とするレーザパワー設定方法を提供することを目的とする。
【課題を解決するための手段】
【００１５】
上記課題を解決するため、本願の請求項１に記載の発明は、光記録媒体の記録領域にデータを記録するためのレーザパワー設定を、前記記録領域よりも先にレーザ光が通過する複数の情報記録単位からなるレーザパワー調整区間において行うレーザパワー設定方法において、前記レーザパワー調整区間において行うレーザパワー設定の最大実行回数（Ｎ回数）と、前記記録領域へのデータの記録に必要となるレーザパワー設定回数（Ｍ回数、Ｎ≧Ｍ）とを設定する第１のステップと、前記レーザパワー調整区間のそれぞれの情報記録単位毎に、レーザパワー設定を行うための所定の条件を満たすか否かを判定し、前記所定の条件を満たす情報記録単位においてレーザパワー設定を実行する第２のステップとを備え、レーザパワー設定の実行回数がＭ回数に達するまで、前記レーザパワー調整区間においてレーザパワー設定を行うことを特徴とする。
【００１６】
また、本願請求項２に記載の発明は、光記録媒体の記録領域にデータを記録するためのレーザパワー設定を、前記記録領域よりも先にレーザ光が通過する複数の情報記録単位からなるレーザパワー調整区間において行うレーザパワー設定方法において、前記レーザパワー調整区間において行うレーザパワー設定の実行回数（Ｎ回数）を設定する第１のステップと、前記レーザパワー調整区間のそれぞれの情報記録単位毎に、レーザパワー設定を行うための第１の条件を満たすか否かを判定し、前記第１の条件を満たさない場合は、該情報記録単位が、前記第１の条件とは異なる第２の条件を満たすか否かを判定する第２のステップと、前記第１の条件、あるいは前記第２の条件を満たす情報記録単位においてレーザパワー設定を実行する第３のステップとを備え、レーザパワー設定の実行回数がＮ回数に達するまで、前記複数の情報記録単位毎にレーザパワー設定を行うことを特徴とする。
【００１７】
また、本願請求項３に記載の発明は、請求項２に記載のレーザパワー設定方法において、前記第２の条件は、前記第１の条件よりも低い条件であることを特徴とする。
【００１８】
また、本願請求項４に記載の発明は、光記録媒体の記録領域にデータを記録するためのレーザパワー設定を、前記記録領域よりも先にレーザ光が通過する複数の情報記録単位からなるレーザパワー調整区間において行うレーザパワー設定方法において、前記レーザパワー調整区間において行うレーザパワー設定の最大実行回数（Ｎ回数）と、前記記録領域へのデータの記録に必要となるレーザパワー設定回数（Ｍ回数、Ｎ≧Ｍ）とを設定する第１のステップと、前記レーザパワー調整区間のそれぞれの情報記録単位毎に、レーザパワー設定を行うための第１の条件を満たすか否かを判定し、前記第１の条件を満たす情報記録単位においてレーザパワー設定を実行する第２のステップとを備え、前記レーザパワー調整区間におけるレーザパワー設定失敗回数がＮ−Ｍ回に達した場合は、前記情報記録単位において行うレーザパワー設定の実行条件を、前記第１の条件とは異なる第２の条件に変更し、該第２の条件のもとで、レーザパワー設定の実行回数がＭ回数に達するまでレーザパワー設定を行うことを特徴とする。
【発明の効果】
【００１９】
本願請求項１の発明によれば、複数のセクタのギャップ区間において行なうレーザパワーの設定回数を最大Ｎ回までとし、そのうち、Ｍ回（Ｎ≧Ｍ）レーザパワー設定を行うことが出来た時点で、記録媒体の記録領域にデータ記録を行うこととしたので、Ｎ−Ｍ＋１回までレーザパワー設定が失敗するまでは、レーザパワー設定を継続して行うことができ、これにより、記録領域へのデータ記録を中断することなく、安定したデータ記録を行うことが可能となる。
【００２０】
本願請求項２の発明によれば、複数のセクタのギャップ区間においてレーザパワーの設定を行う際に、何れかのセクタがレーザパワーの設定を行なうための条件を満たさない場合であっても、前記条件とは異なる第２の条件に基づいて、該セクタのレーザパワーの設定の可否を判断することとしたので、記録媒体上の傷や欠陥等により、レーザパワーの設定を行なうための本来の条件を満たさなくても、レーザパワー設定を継続して行うことができ、これにより、記録領域へのデータ記録を中断することなく、安定したデータ記録を行うことが可能となる。
【００２１】
本願請求項３の発明によれば、請求項２に記載の発明において、前記第２の条件は、前記本来の条件よりも低い条件であることとしたので、例えば、ギャップ区間で行うレーザパワー設定を行うための条件を、記録媒体上の位置情報を示すＰＩＤの取得から、前記ＰＩＤの直前に位置するＡＭ（アドレスマーク）の取得に緩和することにより、安定したレーザパワー設定を行うことが可能となり、高い信頼性を持ってデータ記録を行う事が可能となる。
【００２２】
本願請求項４の発明によれば、複数のセクタのギャップ区間において行なうレーザパワーの設定回数を最大Ｎ回までとし、その内、Ｍ回（Ｎ≧Ｍ）レーザパワー設定を行うことが出来た時点で、記録領域にデータ記録を行うこととし、記録媒体上の傷や欠陥等により、何れかのセクタがレーザパワーの設定を行なうための第１の条件を満たせず、前記レーザパワー設定がＮ−Ｍ回行えなくなった場合は、レーザパワー設定を行う条件を第２の条件に変更して、以降のセクタにおけるレーザパワー設定を行うこととしたので、レーザパワー設定を中断させることなく、安定したレーザパワー設定を行うことが可能となり、高い信頼性を持ってデータ記録を行う事が可能となる。
【発明を実施するための最良の形態】
【００２３】
（実施の形態１）
本実施の形態１のレーザパワー設定方法は、所定のデータ記録領域にデータを記録する際のレーザパワーの設定を、データを記録しようとする記録領域よりも先に位置する複数のセクタ、すなわち、前記記録領域よりも先にレーザ出射光が通過する複数のセクタからなるレーザパワー調整区間で行う場合に、レーザパワー設定を行う最大回数（Ｎ回数）と、データ記録の開始に必要なレーザパワー設定回数（Ｍ回数、Ｎ≧Ｍ）とを予め設定し、レーザパワー設定がＮ−Ｍ＋１回数失敗するまでは、セクタ毎のレーザパワー設定を中止することなく継続して行うこととしたものである。すなわち、図２に示すように、例えばＮ＝１０、Ｍ＝８と設定した場合に、ディスク上の傷等により、特定のセクタにおいてレーザパワー設定が行うことができなくても、レーザパワー設定を３回失敗するまでは、レーザパワー設定を中断することなく実行し、８回レーザパワー設定が行なえた時点で、記録媒体上の記録領域にデータ記録を行なう。
【００２４】
図１は、本実施の形態１によるレーザパワー制御回路１００を表すブロック図である。
レーザパワー制御回路１００は、光ディスク等の記録媒体にデータ記録を行う半導体レーザ１と、前記半導体レーザ１の出射光の一部を検出し電気信号に変換する光検出器２と、前記光検出器２の出力信号を参照しながら前記半導体レーザ１の出射光パワーが所定の値になるように演算処理を行い、レーザパワーの設定を行なう演算処理器３と、前記演算処理器３の演算結果を記憶するサンプルホールド器４と、前記演算処理器の出力信号に基づいて前記レーザを駆動する駆動回路５と、レーザパワーの設定、及びデータの記録を制御するドライブコントローラ１０を備える。また、図１において、６はレーザパワー設定信号を、７は記録信号を、８は記録再生切り替え信号をそれぞれ表す。レーザパワー設定信号６は、上記従来例のように、ボトムパワーとピークパワーのそれぞれの設定を指示するものであっても良い。
【００２５】
次に、上記レーザパワー制御回路１００におけるレーザパワー設定方法について、図３のフローチャートを用いて説明する。なお、レーザパワー制御回路１００の動作の概略は、上述した従来のレーザパワー制御回路８００と同様であるため、その説明を省略する。
【００２６】
まず、ドライブコントローラ１０内の演算部（図示せず）は、レーザパワー調整区間におけるセクタのギャップ区間でレーザパワー設定を行うための各種設定を行う（Ｓ３０１）。この際、レーザパワー設定を行う最大回数（Ｎ回数）と、データの記録開始に必要となるレーザパワー設定回数（Ｍ回数、Ｎ≧Ｍ）を設定する。
【００２７】
次に、演算部は、レーザパワー調整区間内のセクタのギャップ区間にてレーザパワー設定が行えるか否かを判定する（Ｓ３０２）。レーザパワー設定の可否の判断は、各セクタの直前に位置するＰＩＤが取得出来たか否かにより行う。ＰＩＤが取得出来れば、そのセクタのギャップ区間でレーザパワー設定が可能であると判断し、ドライブコントローラ１０内の信号生成部（図示せず）に対してレーザパワー設定信号６を出力するように指示し、サンプルホールド器４に格納する。駆動回路５はサンプルホールド器４の出力信号に基づいて半導体レーザ１を駆動し、該セクタのギャップ領域においてレーザ光を出力させ、光検出器２において検出されたレーザ光は電気信号に変換され、演算処理器３に入力される。演算処理器３は、光検出器２から出力された信号に基づき、光記録媒体に対して最適な値になるように演算処理を行う（Ｓ３０３）。一方、Ｓ３０２にてレーザパワー設定が行えないと判定された場合は、Ｓ３０６へ進む。
【００２８】
レーザパワー設定の実行後、演算部は、Ｍ回数のレーザパワー設定が行なわれたか否かを判定する（Ｓ３０４）。Ｍ回数のレーザパワー設定が行なわれていれば、演算部は、記録信号７を駆動回路５に出力するよう信号生成部に指示し、これにより、実際のデータ記録が前記記録領域に対して行なわれる（Ｓ３０５）。なお、Ｍ回数のレーザパワー設定が行なわれていなければ、Ｓ３０２へ戻り、Ｓ３０２〜Ｓ３０４の処理を行なう。
【００２９】
一方、Ｓ３０２にて、ＰＩＤが検出されない場合は、演算部は、ギャップ区間でのレーザパワー設定がＮ−Ｍ＋１回失敗したかどうかを判定する（Ｓ３０６）。失敗回数がＮ−Ｍ＋１回未満である場合はＳ３０２に戻り、上述したステップを行なう。レーザパワー設定の失敗回数がＮ−Ｍ＋１回に達している場合は、レーザパワー設定ができないと判断し、以降の記録処理を中断し（Ｓ３０７）、フローを終了する。
【００３０】
このように、本実施の形態１によるレーザパワー設定方法は、レーザパワー設定をレーザパワー調整区間で行う回数（Ｎ回数）と、データ記録の開始条件となるレーザパワー設定実行回数（Ｍ回数、Ｎ≧Ｍ）とをあらかじめ設定し、レーザパワー設定がＭ回数行なわれた時点で、データの記録を開始することとしたので、レーザパワー調整区間に傷や欠陥が存在する場合であっても、以降の正常な記録領域に対してデータ記録を行うことができ、安定したデータ記録を行うことが可能となる。
【００３１】
（実施の形態２）
本実施の形態２のレーザパワー設定方法は、所定のデータ記録領域にデータを記録する際のレーザパワーの設定を、データを記録しようとする記録領域よりも先に位置する複数のセクタ、すなわち、前記記録領域よりも先にレーザ出射光が通過する複数のセクタからなるレーザパワー調整区間で行う場合に、各セクタ毎に行なうレーザパワー設定の可否判断の基準を変更することとしたものである。すなわち、図４に示すように、記録媒体上の傷や欠陥により、何れかのセクタにてレーザパワー設定実行の条件であるＰＩＤの取得ができない場合であっても、各セクタのＰＩＤの前に存在するAddress Mark（以下、「ＡＭ」とする）が取得できる場合は、当該セクタにおけるレーザパワー設定を継続して実行するものである。なお、本実施の形態２に係るレーザパワー制御回路の構成は、上述した実施の形態１と同様であるため、その説明を省略する。
【００３２】
次に、本実施の形態２による半導体レーザのパワー設定方法について、図５のフローチャートを用いて説明する。
【００３３】
まず、ドライブコントローラ１０内の演算部（図示せず）は、レーザパワー設定時に必要となる各種設定を行なう。この際、レーザパワー設定を行う最大回数（Ｎ）を設定する（Ｓ５０１）。
【００３４】
次に、演算部は、レーザパワー調整区間内のセクタのギャップ区間でレーザパワー設定が行えるか否かの判定を行う（Ｓ５０２）。ここでは、レーザパワー設定の可否を、ＰＩＤの取得の有無により判断する。ＰＩＤが取得出来れば、そのセクタのギャップ区間でレーザパワー設定が行えると判断し、ドライブコントローラ１０内の信号生成部（図示せず）に対してレーザパワー設定信号６を出力するように指示し、サンプルホールド器４に格納する。駆動回路５は、サンプルホールド器４の出力信号に基づいて半導体レーザ１を駆動し、該セクタのギャップ領域においてレーザ光を出力させ、光検出器２において検出されたレーザ光は電気信号に変換され、演算処理器３に入力される。演算処理器３は、光検出器２から出力された信号に基づき、光記録媒体に対して最適な値になるように演算処理を行う（Ｓ５０３）。一方、ＰＩＤが取得できなければ、Ｓ５０６に進む。
【００３５】
レーザパワー設定後、演算部は、Ｎ回数のレーザパワー設定が完了したか否かを判定し（Ｓ５０４）、Ｎ回数のレーザパワー設定が行なわれている場合は、ドライブコントローラ１０は記録信号７を出力し、これにより、実際のデータ記録が前記記録領域に対して行なわれる（Ｓ５０５）。
【００３６】
一方、Ｓ５０２にてＰＩＤが取得できないと判定された場合は、演算部は、そのセクタのＡＭが取得できたか否かを判定する（Ｓ５０６）。ＡＭが取得できれば、演算部は、そのセクタのギャップ区間でレーザパワー設定が行えると判断し、上述したＳ５０３と同様にレーザパワー調整を実行する（Ｓ５０７）。一方、ＡＭが取得できない場合は、以降の記録処理を中断する（Ｓ５０９）。
【００３７】
レーザパワー設定の実行後、演算部は、Ｎ回数のレーザパワー設定が終了したか否かを判定し（Ｓ５０８）、Ｎ回数のレーザパワー設定が行なわれている場合は、記録信号７を駆動回路５に対して出力するよう信号生成部に指示し、これにより、実際のデータ記録が前記記録領域に対して行なわれる（Ｓ５０５）。一方、Ｎ回数のレーザパワー設定が行なわれていない場合は、Ｓ５０２に戻り、上述の処理を行なう。
【００３８】
このように、本実施の形態２のレーザパワー設定方法によれば、レーザパワー設定区間内のセクタにおいて、傷や欠陥等によりＰＩＤが正しく取得出来ない場合に、パワー設定の可否の判断条件を、ＰＩＤの直前に位置するＡＭの取得の有無に切り替えて、レーザパワー設定を行うこととしたので、レーザパワー設定区間に傷や欠陥が存在する場合であっても、レーザパワー設定を中断することなく以降の正常な記録領域に対してデータ記録を行うことができ、これにより、安定したデータ記録を行うことが可能となる。
【００３９】
（実施の形態３）
本実施の形態３のレーザパワー設定方法は、所定のデータ記録領域にデータを記録する際のレーザパワーの設定を、データを記録しようとする記録領域よりも先に位置する複数のセクタ、すなわち、前記記録領域よりも先にレーザ出射光が通過する複数のセクタからなるレーザパワー調整区間で行う場合に、上述した実施の形態１と同様に、レーザパワー設定を行う最大回数（Ｎ回数）と、データ記録の開始に必要となるレーザパワー設定回数（Ｍ回数、Ｎ≧Ｍ）とを予め設定し、レーザパワー設定がＮ−Ｍ回数失敗した時点で、上述した実施の形態２と同様に、レーザパワー設定の可否条件を緩和して、以降のセクタにおけるレーザパワー設定を行うこととしたものである。すなわち、図６に示すように、レーザパワー調整区間にて、ＰＩＤ取得の有無によりレーザパワー設定を行い、所定回数ＰＩＤの取得に失敗した場合は、レーザパワー設定の実行条件をＡＭの取得に切り替えて、レーザパワー設定を継続して実行するものである。なお、本実施の形態３に係るレーザパワー制御回路の構成は、上述した実施の形態１と同様であるため、その説明を省略する。
【００４０】
以下、本実施の形態３による半導体レーザのパワー設定方法について、図７のフローチャートを用いて説明する。
まず、ドライブコントローラ１０内の演算部（図示せず）は、レーザパワー設定に必要となる各種設定を行う（Ｓ７０１）。この際、設定する項目として、レーザパワー設定を行う最大回数（Ｎ回数）と、データ記録の開始条件となるレーザパワー設定回数（Ｍ回数、Ｎ≧Ｍ）を設定する。
【００４１】
次に、演算部は、レーザパワー調整区間内のセクタのギャップ区間にてレーザパワー設定が行えるか否かの判定を行う（Ｓ７０２）。Ｓ７０２では、レーザパワー設定の可否は、ＰＩＤ取得の有無により判断する。ＰＩＤが取得出来れば、当該セクタのギャップ区間でレーザパワー設定が行えると判断し、ドライブコントローラ１０内の信号生成部（図示せず）に対してレーザパワー設定信号６を出力するように指示し、サンプルホールド器４に格納する。駆動回路５はサンプルホールド器４の出力信号に基づいて半導体レーザ１を駆動し、該セクタのギャップ領域においてレーザ光を出力させ、光検出器２において検出されたレーザ光は電気信号に変換され、演算処理器３に入力される。演算処理器３は、光検出器２から出力された信号に基づき、光記録媒体に対して最適な値になるように演算処理を行う（Ｓ７０３）。
【００４２】
レーザパワー設定後、演算部は、Ｍ回のレーザパワー設定が終了したか否かを判定し（Ｓ７０４）、Ｍ回数のレーザパワー設定が行なわれている場合は、演算部は、記録信号７を駆動回路５に対して出力するよう信号生成部に指示し、これにより、実際のデータ記録が前記記録領域に対して行なわれる（Ｓ７０５）。
【００４３】
一方、Ｓ７０２において、ＰＩＤが取得できないと判定された場合は、演算部はＰＩＤ取得失敗回数がＮ−Ｍ回に達したか否かを判定し（Ｓ７０６）、ＰＩＤ取得失敗回数がＮ−Ｍ回未満である場合は、Ｓ７０２へ戻り、上述の処理を行なう。
【００４４】
ＰＩＤ取得失敗回数がＮ−Ｍ回である場合は、レーザパワー設定を行うための条件を、ＰＩＤの取得からＡＭの取得に変更し（Ｓ７０７）、レーザパワー設定を行おうと試みた回数がＮ回に達したか否かを判定する（Ｓ７０８）。なお、ここでのＮ回とは、レーザパワー設定を行えた回数と行えなかった回数を足した回数である。レーザパワー設定を試みた回数がＮ回に達していなければ、当該セクタのＡＭが取得出来たか否かの判定を行い（Ｓ７０９）、ＡＭが取得できたと判定した場合は、そのセクタのギャップ区間でレーザパワー設定が行えると判断し、レーザパワー設定を実行する（Ｓ７１０）。レーザパワー設定後、演算部はＭ回のレーザパワー設定が行えたかどうかの判定を行い（Ｓ７１１）、Ｍ回のレーザパワー設定が行われていれば、実際のデータ記録を開始し（Ｓ７０５）、Ｍ回数のレーザパワー設定が行われていなければ、Ｓ７０８へ戻り上述の処理を行なう。
【００４５】
一方、演算部が、上記Ｓ７０８にて、レーザパワー設定を行おうと試みた回数がＮ回に達していると判断した場合、あるいは、上記Ｓ７０９にてＡＭが取得できないと判断した場合は、以降のレーザパワー設定が行えないものとして、記録処理を中断する（Ｓ７１２）。
【００４６】
このように、本実施の形態３のレーザパワー設定方法によれば、レーザパワー設定を行う最大回数（Ｎ回数）とデータ記録可能条件となるレーザパワー設定回数（Ｍ回数）とを定めてレーザパワー設定を行ない、レーザパワー設定がＮ−Ｍ回数失敗した時点で、レーザパワー設定の可否条件を変更し、かかる変更後のレーザパワー設定条件の基で以降のセクタにおけるレーザパワーの設定を行うこととしたので、レーザパワー設定区間に傷や欠陥が存在する場合であっても、レーザパワー設定を途中で中断させずに行うことが可能となり、これにより、安定したデータ記録を行うことが可能となる。
【産業上の利用可能性】
【００４７】
本発明は、半導体レーザなどのレーザ光により光ディスクや、光カード等の記録媒体に情報を記録、再生する光学的記録再生装置において、記録媒体上に傷や欠陥が存在する場合であっても安定した記録を行うことが出来る点において有用である。
【図面の簡単な説明】
【００４８】
【図１】本発明のレーザパワー制御回路の構成を表す図である。
【図２】実施の形態１の動作原理を説明するための図である。
【図３】実施の形態１の動作説明を行なうためのフローチャート図である。
【図４】実施の形態２の動作原理を説明するための図である。
【図５】実施の形態２の動作説明を行なうためのフローチャート図である。
【図６】実施の形態３の動作原理を説明するための図である。
【図７】実施の形態３の動作説明を行なうためのフローチャート図である。
【図８】従来のレーザパワー設定回路の構成を表す図である。
【図９】レーザパワーレベルを説明するための図である。
【図１０】従来のレーザパワー設定回路の動作を説明するためのタイミング図である。
【図１１】従来のレーザパワー設定回路の動作原理を説明するための図である。
【図１２】従来のレーザパワー設定回路の動作説明を行なうためのフローチャート図である。
【符号の説明】
【００４９】
１、８０  半導体レーザ
２、８２  光検出器
３、８３  演算処理器
４、８４  サンプルホールド回路
５、８５  駆動回路
６  レーザパワー設定信号
７、８７  記録信号
８、８６  記録再生切り替え信号
８８  ボトムパワー設定信号
８９  ピークパワー設定信号
１０、９０  ドライブコントローラ
【図１】
2006127677.tif 000003
【図２】
2006127677.tif 000004
【図３】
2006127677.tif 000005
【図４】
2006127677.tif 000006
【図５】
2006127677.tif 000007
【図６】
2006127677.tif 000008
【図７】
2006127677.tif 000009
【図８】
2006127677.tif 000010
【図９】
2006127677.tif 000011
【図１０】
2006127677.tif 000012
【図１１】
2006127677.tif 000013
【図１２】
2006127677.tif 000014